(57)【要約】【課題】本発明は老人や病人のような体力のない使用者にとっても使い勝手がよく、かつ場所をとらなく安価に提供出来る簡易便器を提供することを課題とする。【解決手段】  便器本体６の上面両側に肘掛け６を立設した便器であって、該肘掛け６は支柱１０と該支柱１０に支持されている肘支え板１１とからなり、両側の肘支え板１１の前端部には前面支え部材１４が着脱可能に差渡されている簡易便器１を提供する。使用に際しては該前面支え部材１４を左右の肘掛け６間に差渡し、使用者は前かがみの排便容易な姿勢をとって腕を該前面支え部材１４に支持する。【選択図】  図２
2005198813.tif 000002
【特許請求の範囲】
【請求項１】
便器本体の上面両側に肘掛けを立設した便器であって、該肘掛けは支柱と該支柱に支持されている肘支え板とからなり、両側の肘支え板の前端部には前面支え部材が着脱可能に差渡されていることを特徴とする簡易便器。
【請求項２】
該前面支え部材の下面両端部には、下面部と上面部と、該下面部と該上面部との間に介在している垂直面部とからなるブラケットが該上面部を介して取付けられており、該下面部には締付けボルト部材が螺着されており、該前面支え部材と該ブラケットの下面部との間に該肘掛けの肘支え板を嵌合し、該締付けボルト部材によって締付けることによって、該前面支え部材は両側の該肘掛けの肘支え板の前端部に差渡され着脱可能に固定される請求項１に記載の簡易便器。
【請求項３】
該前面支え部材は台板状であって、該ブラケットの上面部には複数個のねじ孔が設けられているか、あるいは該前面支え部材の裏面両端部には複数個のねじ孔が設けられているか、あるいは両方に複数個のねじ孔が設けられており、該肘掛けの間隔に対応して該複数個のねじ孔のうちの一つを選択して該ブラケットのねじ固定を行なう請求項２に記載の簡易便器。
【請求項４】
該前面支え部材は、部材本体と、該部材本体の両側面に左右摺動可能に取付けられている摺動支持杆とからなり、該ブラケットは該摺動支持杆に取付けられており、該肘掛けの間隔に対応して該摺動支持杆の左右摺動位置を調節する請求項２に記載の簡易便器。
【請求項５】
該前面支え部材の下面両端部には、基板と、該基板下面に中間部を支点として内側回動方向に付勢された状態で回動可能に取付けられている回動板とからなるクリップが該基板を介して取付けられており、該クリップの基板と回動板の枢着部より内側部分とによって該肘掛けの肘支え板を挟持することによって、該前面支え部材は両側の該肘掛けの肘支え板の前端部に差渡され着脱可能に固定される請求項１に記載の簡易便器。
【請求項６】
該前面支え部材は台板状であって、該クリップの基板には複数個のねじ孔が設けられているか、あるいは該前面支え部材の裏面両端部には複数個のねじ孔が設けられているか、あるいは両方に複数個のねじ孔が設けられており、該肘掛けの間隔に対応して該複数個のねじ孔のうちの一つを選択して該クリップのねじ固定を行なう請求項５に記載の簡易便器。
【発明の詳細な説明】
【技術分野】
【０００１】
本発明は持運びが出来る簡易便器に関するものである。
【背景技術】
【０００２】
この種の簡易便器は一般に室内所定個所に置かれ、病人、老人、身障者が使用する場合が多い。したがって上記体の不自由な人が使用する場合、使い勝手の良い構造を採用することが必要とされる。
特に排便時に使用者が排便容易な姿勢をとり得るようにすることが望ましい。排便容易な姿勢とは便器本体に腰かけた使用者がが前かがみになる姿勢である。
このような前かがみになる姿勢をとり易くするために、従来便器本体の前側に腕置台を配置した構成（特許文献１）、あるいは便器本体上面両側に立設した肘掛けの先端部に握持杆を回動可能に取付けた構成（特許文献２）等が提供されている。
【０００３】
【特許文献１】実開昭５７−１６０７２２号のマイクロフィルム（請求項１）
【特許文献２】特開２００２−３３０８９７号公報（請求項１、図１）
【発明の開示】
【発明が解決しようとする課題】
【０００４】
上記従来構成のうち、便器本体の前側に腕置台を配置した構成では、腕置台や該腕置台を支持するための支持台等の部材が別個に必要であり、また場所をとるし、使用者が便器本体に腰かけたり立上ったりする時にも腕置台や支持台等が干渉する。
また肘掛けの先端部に握持杆を回動可能に取付けた構成では、前かがみの姿勢では肘掛けと握持杆とが使用者の体にフィットしにくゝ使い勝手が悪い。
【課題を解決するための手段】
【０００５】
本発明は上記従来の課題を解決するための手段として、便器本体(2) の上面両側に肘掛け(6) を立設した便器であって、該肘掛け(6) は支柱(10)と該支柱(10)に支持されている肘支え板(11)とからなり、両側の肘支え板(11)の前端部には前面支え部材(14)が着脱可能に差渡されている簡易便器(1) を提供するものである。
例えば該前面支え部材(14)の下面両端部には、下面部(18)と上面部(17)と、該下面部(18)と該上面部(17)との間に介在している垂直面部(19)とからなるブラケット(16)が該上面部(17)を介して取付けられており、該下面部(18)には締付けボルト部材(25)が螺着されており、該前面支え部材(14)と該ブラケット(16)の下面部(18)との間に該肘掛け(6) の肘支え板(11)を嵌合し、該締付けボルト部材(25)によって締付けることによって、該前面支え部材(14)は両側の該肘掛け(6) の肘支え板(11)の前端部に差渡され着脱可能に固定される。この場合、該前面支え部材(14)は台板状であって、該ブラケット(16)の上面部(17)には複数個のねじ孔が設けられているか、あるいは該前面支え部材(14)の裏面両端部には複数個のねじ孔(21,22,23)が設けられているか、あるいは両方に複数個のねじ孔(21,22,23)が設けられており、該肘掛け(6) の間隔に対応して該複数個のねじ孔(21,22,23)のうちの一つを選択して該ブラケット(16)のねじ固定を行なうか、あるいは該前面支え部材(141) は、部材本体(152) と、該部材本体(152) の両側面に左右摺動可能に取付けられている摺動支持杆(153) とからなり、該ブラケット(161) は該摺動支持杆(153) に取付けられており、該肘掛け(6) の間隔に対応して該摺動支持杆(153) の左右摺動位置を調節することが望ましい。
【０００６】
また更に該前面支え部材(241) の下面両端部には、基板(271) と、該基板(271) 下面に中間部を支点として内側回動方向に付勢された状態で回動可能に取付けられている回動板(281) とからなるクリップ(261) が該基板(271) を介して取付けられており、該クリップ(261) の基板(271) と回動板(281) の枢着部より内側部分とによって該肘掛け(6) の肘支え板(11)を挟持することによって、該前面支え部材(241) は両側の該肘掛け(6) の肘支え板(11)の前端部に差渡され着脱可能に固定されることが望ましく、該前面支え部材(241) は台板状であって、該クリップ(261) の基板(271) には複数個のねじ孔が設けられているか、あるいは該前面支え部材(241) の裏面両端部には複数個のねじ孔(351) が設けられているか、あるいは両方に複数個のねじ孔が設けられており、該肘掛け(6) の間隔に対応して該複数個のねじ孔のうちの一つを選択して該クリップ(261) のねじ(361) 固定を行なうことが望ましい。
【発明の効果】
【０００７】
〔作用〕
使用者は便器本体(2) に腰かけ、そして両側の肘掛け(6) の肘支え板(11)の前端部に前面支え部材(14)を取付ける。使用者は排便時力を入れ易い前かがみになり、腕を該前面支え部材(14)に支えると、前かがみ姿勢が楽にとれる。
使用後は該前面支え部材(14)を肘掛けから取りはずすと、使用者が該便器本体(2) から立上って離れる時に障害にならない。
【０００８】
〔効果〕
本発明では左右の肘掛けの前端に前面支え部材を着脱可能に差渡し取付けるので、便器が場所をとらずコンパクトになり、使用者が前かがみの力を入れ易い姿勢をとっても、該前面支え部材によって腕を支えて楽に排便することが出来る。
【発明を実施するための最良の形態】
【０００９】
本発明を図１〜図４に示す一実施例によって説明すれば、簡易便器(1) は便器本体(2) と、便器本体(2) の上面に載置される便座(3) と、該便座(3) 上に被着される座蓋(4) と、該便器本体(2) 上面後縁に立設される背もたれ(5) と、該便器本体(2) 上面両側に立設されている肘掛け(6) とからなり、該便座(3) は後縁ヒンジ部によって該便器本体(2) 上面後縁部に跳ね上げ可能に枢着されており、該座蓋(4) は中央から二つに折畳み可能とされており、後縁は便器本体(2) 上面後端にヒンジ部(7) を介して枢着されており、使用状態では該座蓋(4) は図１に示す該便座(3) 上に被着された状態から図２に示す折畳み状態で後方へ跳ね上げ、背もたれ(5) の内側を通り抜けて後方へ撤去された状態にされる。
該座蓋(4) を該便座(3) 上に被着した図１に示す状態では、該座蓋(4) 上に腰かけて該簡易便器(1) を椅子として使用出来る。
【００１０】
該背もたれ(5) は左右側枠(8,8) と、該左右側枠(8,8) 間に差渡されている背当て(9) とからなり、該座蓋(4) を後方へ撤去させる時には、該左右側枠(8,8) 間の背当て(9) 下側空間を通り抜ける位置まで回動させる。
【００１１】
該肘掛け(6) は支柱(10)と、該支柱(10)に前端部を支持され、後端部は該背もたれ(5) の左右側枠(8,8) に支持されている肘支え板(11)とからなる。
【００１２】
更に便器本体(2) の左右両側下部には前後一対の脚板(12,12) を立設した脚基部(13)がそれぞれ取付けられている。
【００１３】
上記簡易便器(1) は木材、合板、パーチクルボード、ハードボード等の木質材料からなる。
【００１４】
該簡易便器(1) の両側の肘掛け(6) の肘支え板(11,11) の前端部には前面支え部材(14)が差渡される。図３に示すように該前面支え部材(14)は木質材料により構成され、後縁がほぼ弧状に内側に彎曲している板状本体(15)と、該本体(15)の下面左右両側に取付けられているブラケット(16)とからなる。該ブラケット(16)には図３に示すように上面部(17)と下面部(18)と垂直面部(19)とが一体形成されており、金属板を屈曲加工して形成されている。そして上面部(17)には一個のねじ孔(20)が設けられ、下面部(18)には一個のボルト孔(20A) が設けられ、該ねじ孔(20)に対応して該本体(15)の下面左右両側には三個ずつのねじ孔(21,22,23)が横列して設けられている。
【００１５】
上記便器(1) を使用する時には、図２に示すように座蓋(4) を二つ折りに折畳んで後方へ跳ね上げ撤去状態とし、使用者は便座(3) 上に腰を下ろし、それから前面支え部材(14)を左右両側の肘掛け(6) の肘支え板(11,11) の前端部に差渡す。この際便器(1) のサイズ、即ち左右の肘支え板(11,11) 間の間隔Ｌに対応して該前面支え部材(14)の本体(15)の左右三個ずつのねじ孔(21,22,23)のうちの一個（例えばねじ孔(22)）を選び、該ブラケット(16)のねじ孔(20)をそれに合わせてねじ(24)にて固定する。そして図４に示すように該ブラケット(16)の下面部(18)と本体(15)との間に肘支え板(11)を嵌合し、下面部(18)のボルト孔(20A) に装着されている締付けボルト部材(25)を締付け固定する。このようにして図２に示すように前面支え部材(14)は左右両側の肘掛け(6) 間に差渡され、使用者は前かがみの力を入れ易い姿勢をとり、腕を該前面支え部材(14)に支える。
【００１６】
使用後は締付けボルト部材(25)をゆるめて該前面支え部材(14)を肘掛け(6) の間から取りはずす。
【００１７】
上記実施例以外、図５に示すようにブラケット(16)側にねじ孔(191,201,211) を横列して設け、板状本体(15)側に一個のねじ孔(23)のみ設けてもよい。
【００１８】
図６には前面支え部材(141) の他の実施例が示される。該前面支え部材(141) の本体は金属棒またはパイプからなる支持杆(151) と、該支持杆(151) の外周に設けられているエラストマーやゴムからなるクッション層(152) と、該支持杆(151) の両端に摺動可能に嵌着されている摺動支持杆(153) とからなり、ブラケット(161) は該摺動支持杆(153) に取付けられている。
この実施例では簡易便器(1) の両側の肘掛け(6) の間隔に対応して該摺動支持杆(153) の一方または両方を摺動させて位置決めした上で、ブラケット(161) を介して肘掛け(6) の肘支え板(11,11) に固定する。この前面支え部材(141) の本体は円筒状であるから、その上に腕を支える他、手で握ることも出来る。
【００１９】
図７〜図１０には前面支え部材(241) の更に他の実施例が示される。該前面支え部材(241) は木質材料によって構成され、後縁がほぼ弧状に内側に彎曲している板状本体(251) と、該板状本体(251) の下面左右両側に取付けられているクリップ(261) とからなる。図８に示すように該クリップ(261) は基板(271) と、該基板(271) 下面に中間部を支点として回動可能に取付けられている回動板(281) とからなり、該基板(271) の下面には左右一対の軸受(291) が下方に向けて突設され、該回動板(281) の中間部にも左右一対の軸受(301) が上方に向けて突設され、該基板(271) の軸受(291) を該回動板(281) の軸受(301) の内側に嵌入して枢軸ピン(311) を貫挿し、該枢軸ピン(311) の外周にコイルばね(321) を介在させることによって、該回動板(281) は該基板(271) 下面に内側回動方向（図９矢印方向）に付勢された状態で該枢軸ピン(311) を支点として回動可能に取付けられている。そして該回動板(281) の支点より内側部分にはゴムあるいはエラストマー等からなる摩擦カバー(331) が被着され、また基板(271) には左右一対のボルト孔(341,341) が設けられている。
【００２０】
一方板状本体(251) の下面左右には前後二列で各列三個のボルト孔(351) が設けられており、簡易便器(1) の左右の肘支え板(11,11) 間の間隔Ｌに対応して該本体(251) の前後二列のボルト孔(351) のいずれか一対を選択し、該クリップ(261) の基板(271) のボルト孔(341) を介してボルト(361) によって該クリップ(261) を該本体(251) の下面左右両側に取付ける。
【００２１】
そして該クリップ(261) の支点より外側部分を把手として手で握ってクリップ(261) を開き、図１０に示すように、該基板(271) と該回動板(281) の支点より内側部分との間に簡易便器(1) の左右の肘支え板(11,11) の前端部をそれぞれ挿入し、手を離せばコイルばね(321) の付勢力によって該肘支え板(11,11) 前端部は該基板(271) と該回動板(281) との間に挟持される。
上記したように本実施例ではワンタッチで前面支え部材(241) を肘支え板(11)に取付けることが出来る。
【００２２】
上記実施例以外、クリップ(261) の基板(271) 側に複数個のねじ孔を設けてもよいし、基板(271) と板状本体(251) の両方に複数個のボルト孔を設けてもよい。
【産業上の利用可能性】
【００２３】
本発明の簡易便器は、使用者の使い勝手が非常に良好であるから、老人や病人等の体力のない人にとっても、楽に排便出来る。
【図面の簡単な説明】
【００２４】
図１〜図４は本発明の一実施例を示すものである。
【図１】通常時斜視図
【図２】使用時斜視図
【図３】前面支え部材分解斜視図
【図４】前面支え部材取付状態正面説明図
【図５】他の実施例の前面支え部材の部分分解斜視図
【図６】更に他の実施例の前面支え部材の斜視図  図７〜図１０は本発明の更に他の実施例を示すものである。
【図７】前面支え部材分解斜視図
【図８】クリップ分解斜視図
【図９】クリップ取付け状態斜視図
【図１０】使用状態説明部分横断面図
【符号の説明】
【００２５】
1               簡易便器
2               便器本体
3               便座
4               座蓋
6               肘掛け
11              肘支え板
14,141,241      前面支え部材
15,251          本体
16,161          ブラケット
17              上面部
18              下面部
19              垂直面部
20,21,22,23     ねじ孔
25              締付けボルト部材
151             支持杆
153             摺動支持杆
191,201,211     ねじ孔
261             クリップ
271             基板
281             回動板
351             ボルト孔（ねじ孔）
361             ボルト
【図１】
2005198813.tif 000003
【図２】
2005198813.tif 000004
【図３】
2005198813.tif 000005
【図４】
2005198813.tif 000006
【図５】
2005198813.tif 000007
【図６】
2005198813.tif 000008
【図７】
2005198813.tif 000009
【図８】
2005198813.tif 000010
【図９】
2005198813.tif 000011
【図１０】
2005198813.tif 000012